(57)【要約】【課題】  収容物を容易に出し入れすることができ、しかも見栄えのよい包装用箱。【解決手段】  底板３の周囲を囲む前側板４、後側板５、左側板６及び右側板７と、前側板４の上縁部に折り目８を介して一体に形成され、箱上面部を開閉可能に閉鎖する蓋板９と、蓋板９の後側縁部に折り目１０を介して一体に形成され、後側板５の上内縁部に挿し込まれる挿し込み片１１とを備え、後側板５は、収容物Ａを出し入れする為の出入口３８と、出入口３８の左内縁、右内縁又は下内縁に折り目３７を介して支持され、出入口３８を開閉可能に閉鎖する扉板３９とを有し、扉板３９の上縁部に挿し込み片１１と互いに係合する係止片４０を設けた。【選択図】  図２
2006264753.tif 000002
【特許請求の範囲】
【請求項１】
底板の周囲を囲む前側板、後側板、左側板及び右側板と、前記前側板の上縁部に折り目を介して一体に形成され、箱上面部を開閉可能に閉鎖する蓋板と、該蓋板の前記折り目とは反対側の縁部に折り目を介して一体に形成され、後側板の上内縁部に挿し込まれる挿し込み片とを備え、
前記後側板には、収容物を出し入れする為の出入口と、該出入口の左内縁、右内縁又は下内縁に支持され、前記出入口を開閉可能に閉鎖する扉板とを有し、該扉板の上縁部に前記挿し込み片と互いに係合する係止片を設けたことを特徴としてなる包装用箱。
【請求項２】
挿し込み片は、扉板の上縁部に折り目を介して一体に形成された係止片が係止される係止孔を備えた請求項１に記載の包装用箱。
【請求項３】
扉板は、内側面にメッセージカード等を保持する添付手段を備えた請求項１又は２に記載の包装用箱。
【発明の詳細な説明】
【技術分野】
【０００１】
本発明は、主に花飾り等の収容物の包装に使用する包装用箱に関する。
【背景技術】
【０００２】
従来、店頭展示や贈答品としての見栄えを考慮して花等の収容物を外側から箱を開けることなく見ることができる包装用箱が知られている（例えば、特許文献１を参照）。
【０００３】
この包装用箱は、底板の周囲を囲む前側板、後側板、左側板及び右側板と、前側板の上縁部に折り目を介して一体に形成された蓋板とを備え、箱前面部、即ち前側板から蓋板および左右両側板にかけて透視窓が形成され、透視窓には透明なプラスチックフィルムが貼られている。
【０００４】
このような構造の包装用箱の内部に収容物を出し入れするには、蓋板を開けて箱上面部より行うようになっていた。
【特許文献１】特開２００３−３１２６４９号公報
【発明の開示】
【発明が解決しようとする課題】
【０００５】
しかし、上述の如き従来の技術では、蓋板を開き箱上部より収容物を出し入れするようになっているため、出し入れが困難という問題があった。
【０００６】
そこで本発明は、上述の従来技術の問題を鑑み、収容物を容易に出し入れすることができ、しかも見栄えのよい包装用箱の提供を目的とする。
【課題を解決するための手段】
【０００７】
上述の如き従来の問題を解決し、所期の目的を達成するための請求項１に記載の発明は、底板の周囲を囲む前側板、後側板、左側板及び右側板と、前記前側板の上縁部に折り目を介して一体に形成され、箱上面部を開閉可能に閉鎖する蓋板と、該蓋板の後縁部に折り目を介して一体に形成され、後側板の上内縁部に挿し込まれる挿し込み片とを備え、前記後側板は、収容物を出し入れする為の出入口と、該出入口の左内縁、右内縁又は下内縁に折り目を介して支持され、前記出入口を開閉可能に閉鎖する扉板とを有し、該扉板の上縁部に前記挿し込み片と互いに係合する係止片を設けた包装用箱であることを特徴とする。
【０００８】
請求項２に記載の発明は、請求項１の構成に加え、挿し込み片は、扉板の上縁部に折り目を介して一体に形成された係止片が係止される係止孔を備えたことを特徴とする。
【０００９】
請求項３に記載の発明は、請求項１又は２の構成に加え、扉板は、内側面にメッセージカード等を保持する添付手段を備えたことを特徴とする。
【発明の効果】
【００１０】
本発明に係る包装用箱は、底板の周囲を囲む前側板、後側板、左側板及び右側板と、前記前側板の上縁部に折り目を介して一体に形成され、箱上面部を開閉可能に閉鎖する蓋板と、該蓋板の後縁部に折り目を介して一体に形成され、後側板の上内縁部に挿し込まれる挿し込み片とを備え、前記後側板は、収容物を出し入れする為の出入口と、該出入口の左内縁、右内縁又は下内縁に折り目を介して支持され、前記出入口を開閉可能に閉鎖する扉板とを有し、該扉板の上縁部に前記挿し込み片と互いに係合する係止片を設けたことにより、箱後面部が容易に開閉できるので容易に収容物の出し入れができ、また、蓋板を粘着テープ等を使用せずに容易に開かないようにすることができる。
【００１１】
挿し込み片は、扉板の上縁部に折り目を介して一体に形成された係止片が係止される係止孔を備えたことにより、粘着テープ等を使用せずに扉板を閉じた状態を好適に維持することができる。
【００１２】
扉板は、内側面にメッセージカード等を保持する添付手段を備えたことにより、荷物を送る相手にメッセージカード等を添付することができるとともに、相手が蓋板を開き収容物を取り出すと同時にそのメッセージカード等を手するようになり、相手へのアピール度が高い。
【発明を実施するための最良の形態】
【００１３】
次に、本発明に係る包装用箱について説明する。
【００１４】
図１、図２は、本発明に係る包装用箱の一例を示し、図中符号１は包装用箱、符号Ａは花の鉢植え等の収容物、符号Ｂは収容物を保持する保持台である。
【００１５】
包装用箱１は、段ボール紙や厚紙等の板紙材を、図３に示す展開図のように打ち抜き、それを切曲加工することにより形成され、底板３と、底板３の四辺を囲むように配置された前側板４、後側板５、左側板６及び右側板７と、前側板４の上縁部に折り目８を介して一体に形成された蓋板９と、蓋板９の折り目８とは反対側の縁部に折り目１０を介して一体に形成された挿し込み片１１とを備えている。
【００１６】
また、この包装用箱１は、前部、即ち前側板４より左右両側板６，７及び蓋板９にかけて裏側に透明なプラスチックフィルム１２が貼られた透視窓が形成され、取り出さずともこの透視窓を通して内部の収容物を見ることができるようになっている。
【００１７】
尚、図中符号１３は、帯紐状の持ち運び用手提げ部であり、この手提げ部１３の両端がそれぞれ左右両側板６，７に取り付けられ、箱１を持ち運べるようになっている。
【００１８】
底板３は、前側板４の下縁部に折り目１４を介して一体に形成された前底板１５と、後側板５の下縁部に折り目１６を介して一体に形成された後底板１７と、左右両側板６，７の下縁部に折り目１８，１９を介して一体に形成された左底板２０及び右底板２１とをもって構成されている。
【００１９】
前底板１５は、前後方向長さが箱前後方向幅の約半分の長さの長方形状に形成され、折り目１４とは反対側の縁部の中央部分に矩形の切欠部２２を備えている。
【００２０】
後底板１７は、折り目１６を下底辺とし、高さ、即ち前後方向長さを箱の前後方向幅の約半分の長さとした左右対称な台形状に形成され、上底辺部に切欠部２２の縁部に係止される挿し込み係止片２３を一体に備えている。
【００２１】
左右両底板２０，２１は、それぞれ折り目１８，１９を下底辺とし、後側側辺が下底辺と直角配置の台形状に形成され、その高さは箱の左右方向幅の約半分の長さとなっている。また、左右両底板２０，２１の前側斜辺の上端部に切欠部２２の内縁部に係止される係止片２４が一体に形成されている。
【００２２】
そして、図４に示すように、前底板１５の下側に左右両底板２０，２１を重ねて係止片２４，２４を切欠部２２の内縁部に挿し込み係止させ、更にその下側に後底板１７を重ねて挿し込み係止片２３を切欠部２２の縁部に挿し込み係止させることにより前後左右各底板１５，１７，２０，２１が相互に支持し合い底板３を形成するようになっている。
【００２３】
右側板７、前側板４、左側板６及び後側板５は、折り目２５〜２７を介して連接され、後側板５の右側縁部に折り目２８を介して接着片２９が一体に形成され、その接着片２９を右側板７の後側縁部に接着剤等により貼り付け、後側板５と右側板７とが連結されている。
【００２４】
前側板４は、矩形状に形成され、前面窓部３０が形成されている。
【００２５】
左側板６は、前側板４の左縁部に折り目２６を介して一体に形成され、上縁の前側部が斜め下向きに傾斜した形状に形成され、前面窓部３０と連続して左面窓部３１が形成されている。
【００２６】
一方、右側板７は、前側板４介して左側板６と対称に形成され、前側板４の右縁部に折り目２５を介して一体に形成され、上縁の前側部が斜め下向きに傾斜した形状に形成され、前面窓部３０と連続して右面窓部３２が形成されている。
【００２７】
また、左右両側板６，７の上縁部には、折り目３３を介して折り込み片３４，３５が一体に形成され、該折り込み片３４，３５が左右両側板６，７の上縁より内側に折り込まれ、蓋板９の裏面側縁に当接されるようになっている。
【００２８】
後側板５は、矩形状に形成され、切れ目３６及び折り目３７を設けることにより中央部に出入口３８及び扉板３９が形成され、この扉板３９が折り目３７、即ち出入口３８の下内縁に支持されて上下方向に回動し、出入口３８を開閉できるようになっている。
【００２９】
また、扉板３９の上縁部には、後側板５に切れ目を入れることにより、蓋板９と一体に形成された挿し込み片１１の係止孔４６と互いに係合する係止片４０が折り目４１を介して一体に形成され、折り目４１より扉板３９側に切れ目を入れることにより係止片４０と一体に掴み片４２が形成されている。
【００３０】
更に、この扉板３９は、内側面にメッセージカード等の添付物４３を保持する添付手段を備えている。
【００３１】
添付手段には、例えば、扉板３９内側面及び添付物４３にそれぞれ貼着され、互いに剥離可能に貼り合わされる一対の微粘着性テープや、カード等を収容可能なケース等を用いることができる。
【００３２】
尚、添付物４３は、扉板３９を閉じた状態で添付物４３が逆向き、即ち下向きとなるように保持され、扉板３９を開いた際に添付物４３が取り出す人側に向けられるようになっている。
【００３３】
蓋板９は、前側板４の上縁に折り目８を介して一体に形成され、前面窓部３０と連続して上面窓部４４が形成されている。
【００３４】
また、蓋板９は、折り目８と平行に成形用折り目４５が形成され、左右両側板６，７の上縁形状に合わせて折り曲げられるようになっている。
【００３５】
この蓋板９の折り目８とは反対側の縁部には、折り目１０を介して挿し込み片１１が一体に形成され、この挿し込み片１１が後側板５の上内縁部に差し込まれ、蓋板９の両側縁が左右両側板６，７の折り込み片３４，３５に当接することによって、箱１の上面部が閉鎖されるようになっている。
【００３６】
挿し込み片１１は、後側板５上内縁部に差し込まれた際に一部が後側板５の出入口３８に露出するように形成されている。
【００３７】
また、この挿し込み片１１には、挿し込み片１１を後側板５の上内側縁に差し込んだ際に、出入口３８の上縁と略同じ高さに位置するように、スリット状の係止孔４６が形成されている。
【００３８】
そして、この係止孔４６に扉板３９の係止片４０が挿入され、この挿し込み片１１の係止孔４６と、扉板３９の係止片４０とが互いに係合され、蓋板９と扉板３９とが互いに開かないように保持される。
【００３９】
このように構成された包装用箱１は、後側板５に出入口３８及び扉板３９を備えたことによって、蓋板９を開閉せずとも、扉板３９を開くことによって容易に収容物Ａを出し入れすることができるようになっている。
【００４０】
また、扉板３９を閉じた際に、図５に示すように、上縁部の係止片４０が挿し込み片１１の係止孔４６に挿入され互いに係合することによって、扉板３９と蓋板９とが互いに開かないようになっている。
【００４１】
尚、上述の実施例では、前面部に透視窓を設けた例について説明したが、透視窓を有しない箱であってもよい。
【００４２】
また、上述の実施例では、添付物としてメッセージカードを例に挙げたが、収容物に関する取り扱い説明書等、その他どのようなものであってもよく、添付手段は、後側板の内側面に直接メッセージ等を記入できるようにしてもよい。
【００４３】
更に、上述の実施例では、扉板を後側板に切れ目を入れることにより後側板と一体に形成した例について説明したが、扉板を別個形成し、その縁部を出入口の左右又は下縁に回動可能に支持させるようにしてもよい。
【図面の簡単な説明】
【００４４】
【図１】本発明に係る包装用箱を示す斜視図である。
【図２】同上の後方からの斜視図である。
【図３】同上の包装用箱の展開図である。
【図４】同上の包装用箱の底面図である。
【図５】同上の包装用箱を示す部分拡大縦断面図である。
【符号の説明】
【００４５】
Ａ  収容物
Ｂ  保持台
１  包装用箱
３  底板
４  前側板
５  後側板
６  左側板
７  右側板
８  折り目
９  蓋板
１０  折り目
１１  挿し込み片
１２  プラスチックフィルム
１３  持ち運び用手提げ部
１４  折り目
１５  前底板
１６  折り目
１７  後底板
１８，１９  折り目
２０  左底板
２１  右底板
２２  切欠部
２３  挿し込み係止片
２４  係止片
２５〜２７  折り目
２８  折り目
２９  接着片
３０  前面窓部
３１  左面窓部
３２  右面窓部
３３  折り目
３４，３５  折り込み片
３６  切れ目
３７  折り目
３８  出入口
３９  扉板
４０  係止片
４１  折り目
４２  掴み片
４３  添付物
４４  上面窓部
４５  成形用折り目
４６  係止孔
【図１】
2006264753.tif 000003
【図２】
2006264753.tif 000004
【図３】
2006264753.tif 000005
【図４】
2006264753.tif 000006
【図５】
2006264753.tif 000007